(57)【要約】【課題】釣人が使用する釣竿の所望の位置に配置することができるリールシートの提供。【解決手段】リールシート１２は、シート本体２０とロック部材２１，２２とを備える。シート本体２０は、筐体２３を有し、これが元節１７に嵌め込まれる。ロック部材２１，２２は、それぞれ、筐体２３の端部２８，３３に嵌め込まれることにより縮径し、元節１７を締め付けながらシート本体２０と係合する。ロック部材２１，２２は、スリット３２が形成されている。ロック部材２１，２２は、テーパ状に形成されている。【選択図】  図２
2004187547.tif 000002
【特許請求の範囲】
【請求項１】
釣用リールの脚部を保持し得る一対のフード部を備え、釣竿本体が挿通される筒状に形成されたシート本体と、
内径が拡縮可能な可撓性を有する筒状に形成され、上記釣竿本体が挿通された状態で上記シート本体の端部に嵌め込まれることによって内径が縮小されて上記釣竿本体を把持するロック部材とを有するリールシート。
【請求項２】
上記ロック部材は、
軸方向に沿ってスリットが形成されることにより内径の拡縮が許容されるように構成されている請求項１記載のリールシート。
【請求項３】
上記ロック部材は、テーパ状に形成されている請求項１又は２記載のリールシート。
【請求項４】
上記ロック部材の軸方向寸法は、５ｍｍ〜５０ｍｍに設定され、
上記ロック部材は、１／１０００〜１００／１０００のテーパが形成されている請求項３記載のリールシート。
【請求項５】
釣竿本体と、
釣竿本体に挿通装着された上記請求項１乃至４のいずれかに記載のリールシートとを備えた釣竿。
【発明の詳細な説明】
【０００１】
【発明の属する技術の分野】
この発明は、釣用リールが装着されるタイプの釣竿の構造、詳しくは、釣用リールを保持するリールシート構造に関するものである。
【０００２】
【従来の技術及び発明が解決しようとする課題】
例えば、磯釣り等では、一般に釣用リールが使用され、釣用リールは、釣竿のリールシートに装着され保持される。
図４は、一般的な磯釣用の釣竿の正面図である。同図が示すように、一般に釣竿１は、円筒状に形成された釣竿構成部材（「節」と称される。）２〜６が振出式に組み立てられており、釣竿構成部材６（「元節６」と称される。）にリールシート７が設けられている。
【０００３】
同図では、リールシート７は元節６と一体的に形成されているが、元節６の製造上、リールシート７は元節６と共に成形されるものではなく、通常は、リールシート７が元節６とは別部材として構成され、これが元節６に組み付けられる。そして、両者は、所定の仕上作業によって面が滑らかに連続するように形成される。
ところで、リールシート７の位置、特に元節６の後端からリールシート７までの距離Ｄは、当該釣竿１の仕様に応じて適切に設定する必要がある（例えば、非特許文献１参照）。なぜなら、リールシート７は、釣用リールを固定するものであると共に、釣人が釣竿１を保持する際に実際に把持する部分であるところ、例えば釣竿１が大型の魚をターゲットとするような仕様であるときは、釣人が大型の魚とファイトするために（いわゆる腰だめを容易にするために）上記距離Ｄは長く設定されることが望ましく、また、釣竿１が中小型の魚をターゲットとするような仕様であるときは、釣竿の操作性向上のために上記距離Ｄは短く設定されることが望ましいからである。
【０００４】
【非特許文献１】
株式会社シマノ  ２０００  Ｆｉｓｈｉｎｇ  Ｔａｃｋｌｅ  Ｃａｔａｌｏｇｕｅ（第５０頁）
【０００５】
しかしながら、従来の釣竿では、元節に対するリールシートの位置は固定されたものであり、例えば釣人の体格や好み等によってはリールシートの位置が当該釣人にマッチしない場合もあった。
そこで、本発明の目的は、釣人が使用する釣竿の所望の位置に配置することができるリールシートを提供することである。
【０００６】
【課題を解決するための手段】
（１）  上記目的を達成するため、本願に係るリールシートは、釣用リールの脚部を保持し得る一対のフード部を備え、釣竿本体が挿通される筒状に形成されたシート本体と、内径が拡縮可能な可撓性を有する筒状に形成され、上記釣竿本体が挿通された状態で上記シート本体の端部に嵌め込まれることによって内径が縮小されて上記釣竿本体を把持するロック部材とを有することを特徴とするものである。
【０００７】
この構成によれば、ロック部材及びシート本体が順に釣竿本体に嵌め込まれる。これにより、釣竿本体は、ロック部材及びシート本体に貫通した状態となり、シート本体は、釣竿本体の所望の位置に配置される。
この状態で、ロック部材がシート本体の端部に嵌め込まれる。具体的には、ロック部材は、釣竿本体とシート本体との隙間に挿入される。これにより、ロック部材は変形してその内径が縮小され、釣竿本体がロック部材によって締め付けられる。一方、ロック部材は、シート本体と釣竿本体との隙間に圧入されることになるから、当該ロック部材は、シート本体に対して固定される。したがって、シート本体は、ロック部材を介して釣竿本体に固定されることになる。
ここで、釣竿本体に対するシート本体の相対的位置は、釣竿使用者の所望の位置に設定され得るものであり、シート本体は、釣竿本体の後端部から所望の距離で且つ釣竿本体の周方向に所望の角度で配置され得る。
【０００８】
（２）  上記ロック部材は、軸方向に沿ってスリットが形成されることにより内径の拡縮が許容されるように構成されているのが好ましい。
これにより、ロック部材の内径を拡縮させるための構造がきわめて簡単なものとなる。
しかも、スリットが形成されることにより、ロック部材の縮径変形量が大きくなる。したがって、釣竿の仕様によっては釣竿本体の外径が種々変化するが、釣竿本体の外径が変化したとしてもロック部材は、これに対応してシート本体を当該釣竿本体に固定することができる。また、釣竿の仕様によっては釣竿本体にテーパが形成される場合があるが、このテーパが大きい場合であってもロック部材がこれに対応してシート本体を当該釣竿本体に固定することができる。
【０００９】
（３）  上記ロック部材は、テーパ状に形成されているのが好ましい。
この構成では、ロック部材がシート本体に嵌め込まれることによって、当該嵌め込み量（挿入量）に比例してロック部材の内径が縮小される。したがって、釣竿本体は、ロック部材によって確実に締め付けられ固定される。
特に、上記ロック部材の軸方向寸法が５ｍｍ〜５０ｍｍに設定され、上記ロック部材は、１／１０００〜１００／１０００のテーパが形成されているのが望ましい。
この構成では、ロック部材が軽量且つコンパクトに形成される。しかも、釣竿本体の寸法（外径やテーパの大きさ）が種々変化されても、ロック部材の内径が十分に縮小され得るので、当該釣竿本体は、確実にロック部材により保持され、シート本体が当該釣竿本体に固定される。
【００１０】
（４）  また、釣竿本体と、これに上記リールシートが取り付けられることによって、釣竿が構成される。
この釣竿では、シート本体が釣竿本体（例えば元節）の所望の位置に所望の姿勢（釣竿本体の周方向に対して所望の角度）に配設される。したがって、釣竿使用者は、体格に応じて及び好みに応じて自己にマッチした位置にリールシートを配置することができる。
【００１１】
【発明の実施の形態】
以下、適宜図面が参照されつつ、好ましい実施形態に基づいて本発明が詳細に説明される。
【００１２】
図１は、本発明の一実施形態に係る釣竿１０の正面図である。
この釣竿１０は、いわゆるインナーガイドタイプである。釣竿１０は、釣竿本体１１と、リールシート１２とを備えている。このリールシート１２は、釣人が釣竿１０を保持する際に実際に釣竿１０を把持する部分であり、いわゆるグリップを兼ねている。
本実施形態に係る釣竿１０の特徴とするところは、リールシート１２の構造にあり、このリールシート１２が後に詳述される構造を備えることによって、リールシート１２は、釣人の所望の位置及び姿勢に配設されるようになっている。
【００１３】
釣竿本体１１は、５つの筒状部材１３〜１７から構成されている。各筒状部材１３〜１７は、それぞれ「節」と称され、釣竿本体１１の先端側から順に第１番節１３、第２番節１４と称される。第４番節１６は、特に「元上節」と称され、第５番節１７は、特に「元節」と称される。
各節１３〜１７は、既知の要領で構成される。例えば、カーボンプリプレグが所定形状に裁断され、これが筒状に巻回されることによって、円筒状の節１３〜１７が形成される。
この釣竿１０では、第４番節１６（すなわち元上節１６）が第５番節１７（すなわち元節１７）に対して伸縮するズーム機構を搭載している。もっともこのズーム機構は任意的なものであって、当該機構は省略される場合もある。
【００１４】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３を第２番節１４から引き出した際に、第１番節１３の後端部分が第２番節１４の先端部分とかみ合って両者が固定されるようになっている。
なお、第２番節１４と第３番節１５との関係及び第３番節１５と元上節１６との関係も同様である。
【００１５】
また、第２番節１４ないし元節１７の先端部には、当該部分の剛性を向上させ、隣り合う節のかみ合いを確実なものとするために、リングＲ１〜Ｒ４が装着されている。
さらに、元上節１６の先端側の所定位置には図示しない釣糸導入孔が設けられており、この釣糸導入孔に釣糸を導くための導入ガイド１９が取り付けられている。なお、上記トップガイド１８及び導入ガイド１９は、既知の構成であるので、その詳しい説明は省略される。
【００１６】
図２は、釣竿１０の要部拡大正面図であり、リールシート１２の構造を詳細に示している。
リールシート１２は、元節１７に設けられている。リールシート１２は、釣用リール（図示せず）を着脱自在に保持するためのものである。この釣竿１０では、リールシート１２は、元節１７と一体的に形成されている。ただし、従来の釣竿と同様に、リールシート１２は、元節１７の製造工程において元節１７と共に成形されるものではなく、リールシート１２が元節１７とは別部材として構成され、これが後述のように元節１７に組み付けられるようになっている。
【００１７】
リールシート１２は、シート本体２０と、ロック部材２１，２２とを備えている。シート本体２０及びロック部材２１，２２は、後述のように元節１７に嵌め込まれて固定されている。
シート本体２０は、全体として筒状に形成されており、筐体２３と可動フード２４とを備えている。
筐体２３は、例えば、ポリブチレンテレフタレート（ＰＢＴ）、ナイロン、金属等により一体的に形成されている。筐体２３は、図２が示すように、円筒状に形成されており、元節１７に嵌め込まれている。筐体２３には、釣用リールの脚部の一方を収容保持するフード２５が一体的に形成されている。
【００１８】
また、筐体２３の内径は、元節１７の外径に対応されて設定される。本実施形態では、筐体２３の内径は、１５ｍｍ〜３０ｍｍの範囲で適宜設定される。これにより、筐体２３は、釣竿の仕様に応じて変更される元節１７の外径に対応することができ、種々の使用の釣竿に適用され得る。
可動フード２４は、筐体２３に取り付けられている。可動フード２４は、釣用リールの他方の脚部を収容保持する。筐体２３には、軸方向（図中左右方向）に沿ってスライド溝２６が形成されており、可動フード２４は、このスライド溝２６に係合している。これにより、可動フード２４は、図中左右にスライド可能となっており、可動フード２４が図中左側にスライドすることにより、可動フード２４とフード２５との間で釣用リールの脚部が挟持固定される。
【００１９】
図３は、ロック部材２１の構造を示す斜視図である。
ロック部材２１は、筒状に形成されており、元節１７に嵌め込まれる。図２が示すように、ロック部材２１は、元節１７に嵌め込まれたシート本体２０の先端側（図中左側）に配置され、その一端部２７側から筐体２３の端部２８に嵌め込まれる。具体的には、ロック部材２１は、筐体２３と元節１７との隙間に圧入される。
【００２０】
ロック部材２１は、例えば、ポリブチレンテレフタレート（ＰＢＴ）、ナイロン等のほか、ゴム等の弾性部材により構成されている。図３が示すように、ロック部材２１は、本体２９とフランジ部３０とを備えている。
本体２９は、円筒状に形成され、その肉厚が０．２ｍｍ〜５ｍｍ程度に設定されている。また、フランジ部３０は、本体２９の他端部３１に当該本体２９と一体的に形成されている。
フランジ部３０が形成されることにより、ロック部材２１が上記筐体２３に嵌め込まれる作業が容易となる。もっとも、このフランジ部３０は省略されてもよい。
【００２１】
本実施形態では、本体２９はテーパ状に形成されており、一端部２７の外径が他端部３１の外径よりも小さく設定されている。本体２９のテーパは、１／１０００〜１００／１００００程度に設定される。また、本体２９の軸方向寸法Ｌは、５ｍｍ〜５０ｍｍ程度に設定される。
さらに、本実施形態では、ロック部材２１に、軸方向に沿ってスリット３２が形成されている。このスリット３２の幅寸法ｓは、０．２ｍｍ〜３ｍｍ程度に設定される。このスリット３２が形成されることにより、ロック部材２１は、きわめて容易にその内径が変化（拡縮）するようになっている。
【００２２】
なお、ロック部材２２は、ロック部材２１と同様の構成である。したがって、ロック部材２２についての説明は省略される。ただし、図２が示すように、ロック部材２２は元節１７に嵌め込まれ、シート本体２０の後端側（図中右側）に配置され、その一端部２７側から筐体２３の端部３３に嵌め込まれる。具体的には、ロック部材２２は、ロック部材２１と同様に、筐体２３と元節１７との隙間に圧入される。
【００２３】
本実施形態に係る釣竿では、次のようにしてリールシート１２が固定される。
まず、ロック部材２２、シート本体２０及びロック部材２１が、順に元節１７の先端側から嵌め込まれる。これにより、元節１７は、ロック部材２２、シート本体２０及びロック部材２１に貫通した状態となる。シート本体２０の筐体２３は、前述の寸法に設定されているから、シート本体２０は、元節１７の所望の位置に配置され得る。
【００２４】
この状態で、ロック部材２１，２２がシート本体２０筐体２３の端部２８，３３にそれぞれ嵌め込まれる。これにより、ロック部材２１，２２は変形し、その内径が縮小される。つまり、元節１７がロック部材２１，２２によって締め付けられる。
一方、ロック部材２１，２２は、前述のように筐体２３と元節１７との隙間に圧入されることになるから、ロック部材２１，２２は、シート本体２０に対して固定される。したがって、シート本体２０は、ロック部材２１，２２を介して元節１７に固定されることになる。
【００２５】
前述のように、元節１７に対するシート本体２０の相対的位置は、当該釣竿１０の使用者の所望の位置に設定され得るものであるから、シート本体２０は、元節１７の後端部３５（図１参照）から所望の距離の位置に配置される。また、筐体２３が筒状に形成され、これが元節１７に嵌め込まれるから、シート本体２０は、元節１７の周方向に対して所望の角度で配置され得る。
このように、釣竿１０では、シート本体２０が元節１７に対して釣人の所望の位置・姿勢に配置されるので、釣人は、自己の体格、好みに応じて最も使いやすい位置にリールシート１２を設置することができる。その結果、釣竿１０は、釣人にとって、きわめて使い心地の良いものとなる。
【００２６】
特に、本実施形態に係る釣竿１０では、ロック部材２１，２２は、軸方向に沿ってスリット３２が形成されることにより内径の拡縮が許容されるように構成されているので、ロック部材２１，２２の内径を拡縮させるための構造がきわめて簡単なものとなる。
しかも、スリット３２が形成されることにより、ロック部材２１，２２の縮径変形量が大きくなる。したがって、釣竿の仕様によっては元節１７の外径が種々変化されるが、元節１７の外径が変化されたとしても、ロック部材２１，２２は、これに対応して確実に縮径され、シート本体２０は、元節１７確実に固定される。
また、釣竿の仕様によっては元節１７に所定のテーパが形成される場合があるが、このテーパが大きい場合であっても、ロック部材２１，２２がこれに対応して縮径され、シート本体２０は、元節１７に確実に固定される。
【００２７】
さらに、本実施形態に係る釣竿１０では、ロック部材２１，２２は、テーパ状に形成されているので、ロック部材２１，２２が筐体２３に嵌め込まれることによって、当該嵌め込み量（挿入量）に比例してロック部材２１，２２の内径が縮小される。したがって、元節１７は、ロック部材２１，２２によって確実に締め付けられ、シート本体２０と一層確実に固定される。
特に、ロック部材２１，２２の軸方向寸法及びテーパが前述のように設定されているから、ロック部材２１，２２が軽量且つコンパクトに形成され、釣竿１０全体として大幅に重量が増加することはないという利点がる。
しかも、ロック部材２１，２２が上記寸法に設定されることにより、ロック部材２１，２２の内径の拡縮が十分な範囲で行われるから、釣竿の仕様に応じて元節１７の寸法（外径やテーパの大きさ）が種々変化されても、元節１７とシート本体２０とは、確実に固定される。
【００２８】
本実施形態では、シート本体２０が元節１７に固定されるために一対のロック部材２１，２２が用いられているが、少なくともロック部材２１，２２のいずれか一方のみが用いられることにより、元節１７とシート本体２０との固定は実現され得る。
また、本実施形態では、ロック部材２１，２２が前述の材料から構成され、スリット３２が形成されることにより、ロック部材２１，２２の内径が容易且つ大きく拡縮するようになっているが、ロック部材が、例えばゴム等により構成されることも可能である。これにより、ロック部材は、その内径の拡縮が許容され、上記ロック部材２１，２２によるシート本体２０の固定と同様の要領でシート本体２０が元節１７に固定され得る。もっとも、ロック部材を構成する材料はゴム等に限定されるものではなく、要するに、その内径の拡縮が許容される可撓性を有するように構成されていればよい。
なお、ロック部材の内径の拡縮が許容される構造であるならば、上記ロック部材２１，２２に設けられたスリット３２は、省略され得る。
【００２９】
【発明の効果】
以上のように本発明によれば、シート本体の釣竿本体に対する取付位置が調整され得るので、例えば元節の所望の位置にリールシートが配置される。その結果、釣人は、自己の体格、好みに応じて最も使いやすい位置にリールシートを配置することができ、当該リールシートが採用された釣竿は、きわめて使い心地の良いものとなる。
【図面の簡単な説明】
【図１】図１は、本発明の一実施形態に係る釣竿の正面図である。
【図２】図２は、本発明の一実施形態に係る釣竿の要部拡大正面図である。
【図３】図３は、本発明の一実施形態に係る釣竿に適用されるロック部材の構造を示す斜視図である。
【図４】図４は、一般的な磯釣用の釣竿の正面図である。
【符号の説明】
１０・・・釣竿
１１・・・釣竿本体
１２・・・リールシート
１７・・・元節
２０・・・シート本体
２１・・・ロック部材
２２・・・ロック部材
２３・・・筐体
２７・・・ロック部材の一端部
２８・・・筐体の端部
２９・・・本体
３０・・・フランジ部
３１・・・ロック部材の他端部
３２・・・スリット
３３・・・筐体の端部
３５・・・元節の後端部
【図１】
2004187547.tif 000003
【図２】
2004187547.tif 000004
【図３】
2004187547.tif 000005
【図４】
2004187547.tif 000006